(57)【要約】【課題】冊子本体に申し込みハガキや隠蔽片が付けられていても、広告や宣伝などの情報量を減少することを抑え、しかも、低コストなハガキ付き冊子とその使用方法を提供する。【解決手段】ハガキ付き冊子３０は、ハガキ部３３ａ、情報部３３ｃ及び隠蔽部３１が設けられた冊子本体３３−１と、情報部３４ａ及びＹカット３６が設けられた付属シート３４−１とを備えている。ハガキ部３３ａと隠蔽部３１とが連接されており、冊子本体３３−１の幅は、ハガキ部３３ａの幅の約２倍である。付属シート３４は、冊子本体３３より坪量が低い。このハガキ付き冊子３０を使用する場合は、Ｙカット３６を用いて、隠蔽部３１を覆っている部分を剥離し、その後、隠蔽部３１とハガキ部３３ａとをミシン目ｍｃで分離し、記入欄が見えないように両者を貼り合わせ、隠蔽ハガキとして送付する。【選択図】        図３
2004338216.tif 000002
【特許請求の範囲】
【請求項１】
ハガキ部及び情報部が設けられた冊子本体と、
情報部が設けられた付属シートと、
を備えたハガキ付き冊子において、
前記冊子本体又は前記付属シートのいずれか一方に前記ハガキ部を隠蔽するための隠蔽部を備えたこと、
を特徴とするハガキ付き冊子。
【請求項２】
請求項１に記載されたハガキ付き冊子おいて、
前記隠蔽部は、保護シートと少なくとも一部で再剥離再貼付可能に擬似接着されており、前記ハガキ部と少なくとも一部で再剥離不可能に強接着されていること、
を特徴とするハガキ付き冊子。
【請求項３】
請求項２に記載されたハガキ付き冊子において、
前記隠蔽部は、前記強接着がされている面と前記擬似接着がされている面との間に分離予定線が設けられていること、
を特徴とするハガキ付き冊子。
【請求項４】
請求項１に記載されたハガキ付き冊子おいて、
前記隠蔽部は、前記冊子本体に設けられていて、前記付属シートと前記隠蔽部とが、再剥離再貼付可能に擬似接着されていること、
を特徴とするハガキ付き冊子。
【請求項５】
請求項４に記載されたハガキ付き冊子において、
前記付属シートは、前記冊子本体より坪量が低いこと、
を特徴とするハガキ付き冊子。
【請求項６】
請求項４又は請求項５に記載されたハガキ付き冊子において、
前記冊子本体の幅は、前記ハガキ部の幅の２倍以上であること、
を特徴とするハガキ付き冊子。
【請求項７】
請求項４から請求項６までのいずれか１項に記載されたハガキ付き冊子において、
前記ハガキ部は、前記隠蔽部と連接されていること、
を特徴とするハガキ付き冊子。
【請求項８】
請求項１から請求項７までのいずれか１項に記載されたハガキ付き冊子の使用方法であって、
前記隠蔽部を再貼付可能に剥離する剥離工程と、
前記ハガキ部を前記冊子本体から分離させる分離工程と、
前記隠蔽部と前記ハガキ部とを貼り合わせて隠蔽ハガキを作製する貼り合わせ工程とを備えたこと、
を特徴とするハガキ付き冊子の使用方法。
【発明の詳細な説明】
【０００１】
【発明の属する技術分野】
本発明は、例えば、希望者が持ち帰るために店頭や駅の広告棚に配置し、必要に応じて申し込みハガキを送付する場合や、請求書などに同封し、確認内容をハガキで再送付する場合に、好適に使用することができるハガキ付き冊子に関するものである。
【０００２】
【従来の技術】
従来より、例えば、様々なクラブやクレジットカードの入会申し込みに用いられる申し込み書は、店頭や駅の広告棚などに配置される場合に、申し込みハガキと広告宣伝などの情報とが一体になって折りたたまれているものが知られている（例えば、特許文献１）。
しかし、この特許文献１の方法では、記入した申し込み欄が隠蔽されずに送付されてしまうので、個人情報が漏洩してしまう恐れがあった。
この問題を解決するために、あらたに隠蔽部を設け、それを申し込み欄の上に貼り込むことによって秘匿情報を隠蔽するものが提案されている（例えば、特許文献２）。
【０００３】
【特許文献１】
特開平１１−４８６４５号公報
【特許文献２】
特開２０００−２４７０６７号公報
【０００４】
【発明が解決しようとする課題】
しかし、特許文献２の方法では、冊子全体を同じ紙の素材に統一しなければならなかったので、申し込みハガキに高質な紙を使用する場合には、隠蔽部もおのずと高質な紙を使用することになってしまい、その結果としてコストアップとなっていた。
また、申し込みハガキや秘匿情報を隠蔽するための隠蔽片が増えれば増えるほど、情報を印刷する領域が減ってしまうので、冊子全体の情報量を減らさなくてはならなかった。
さらに、申し込みハガキや隠蔽部が多くなる場合には、冊子本体に設けられている情報部の領域が分断されてしまい、宣伝や広告などの情報がとぎれとぎれになってしまっていた。
【０００５】
本発明の課題は、冊子本体に申し込みハガキや隠蔽片が付けられていても、広告や宣伝などの情報量を減少することを抑え、しかも、低コストなハガキ付き冊子とその使用方法を提供することである。
【０００６】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、ハガキ部（１３ａ）及び情報部（１３ｃ）が設けられた冊子本体（１３−１）と、情報部（１１ａ）が設けられた付属シート（１４−１）と、を備えたハガキ付き冊子において、前記冊子本体（１３−１）又は前記付属シート（１４−１）のいずれか一方に前記ハガキ部（１３ａ）を隠蔽するための隠蔽部（１１−１）を備えたこと、を特徴とするハガキ付き冊子である。
【０００７】
請求項２の発明は、請求項１に記載されたハガキ付き冊子おいて、前記隠蔽部（１１−１）は、保護シート（１２−２）と少なくとも一部で再剥離再貼付可能に擬似接着されており、前記ハガキ部（１３ａ）と少なくとも一部で再剥離不可能に強接着されていること、を特徴とするハガキ付き冊子である。
【０００８】
請求項３の発明は、請求項２に記載されたハガキ付き冊子において、前記隠蔽部（１１−１）は、前記強接着がされている面と前記擬似接着がされている面との間に分離予定線（ｈｃ）が設けられていること、を特徴とするハガキ付き冊子である。
【０００９】
請求項４の発明は、請求項１に記載されたハガキ付き冊子おいて、前記隠蔽部（３１）は、前記冊子本体（３３−１）に設けられていて、前記付属シート（３４−１）と前記隠蔽部（３１）とが、再剥離再貼付可能に擬似接着されていること、を特徴とするハガキ付き冊子である。
【００１０】
請求項５の発明は、請求項４に記載されたハガキ付き冊子において、前記付属シート（３４−１）は、前記冊子本体（３３−１）より坪量が低いこと、を特徴とするハガキ付き冊子である。
【００１１】
請求項６の発明は、請求項４又は請求項５に記載されたハガキ付き冊子において、前記冊子本体（３３−１）の幅は、前記ハガキ部（３３ａ）の幅の２倍以上であること、を特徴とするハガキ付き冊子である。
【００１２】
請求項７の発明は、請求項４から請求項６までのいずれか１項に記載されたハガキ付き冊子において、前記ハガキ部（３３ａ）は、前記隠蔽部（３１）と連接されていること、を特徴とするハガキ付き冊子である。
【００１３】
請求項８の発明は、請求項１から請求項７までのいずれか１項に記載されたハガキ付き冊子の使用方法であって、前記隠蔽部（１１−１，２１−１，３１）を再貼付可能に剥離する剥離工程と、前記ハガキ部（１３ａ，２３ａ，３３ａ）を前記冊子本体（１３−１，２３−１，３３−１）から分離させる分離工程と、前記隠蔽部（１１−１，２１−１，３１）と前記ハガキ部（１３ａ，２３ａ，３３ａ）とを貼り合わせて隠蔽ハガキを作製する貼り合わせ工程とを備えたこと、を特徴とするハガキ付き冊子の使用方法である。
【００１４】
【発明の実施の形態】
以下、図面などを参照して、本発明の実施の形態について、さらに詳しく説明する。
なお、以下に示す各実施形態では、同様な機能を果たす部分には、末尾に統一した符号を付して、重複する説明を適宜省略する。
（第１実施形態）
図１は、本発明によるハガキ付き冊子の第１実施形態を示す模式図であって、図１（Ａ）は、隠蔽部（１枚目基材）の模式図であり、図１（Ｂ）は、保護シート（２枚目基材）の模式図であり、図１（Ｃ）は、冊子本体（３枚目基材）の模式図であり、図１（Ｄ）は、隠蔽部及び保護シートからなる付属シートを冊子本体に貼り合わせる模式図であり、図１（Ｅ）は、完成したハガキ付き冊子の模式図である。
【００１５】
ハガキ付き冊子１０は、図１（Ｅ）に示すように、ハガキ部１３ａ及び情報部１３ｃが設けられた冊子本体１３−１と、隠蔽部１１−１及び保護シート１２−２からなる付属シート１４−１とを備えている。
隠蔽部１１−１は、保護シート１２−２と再剥離再貼付可能に擬似接着され、ハガキ部１３ａと再剥離不可能に強接着されていて、擬似接着されている面と強接着されている面との間にあるハーフカットｈｃと、情報部１１ａとを備えている。
なお、図中において、マージナル部ｍａを切り離したり、所定の加工などによって、変化のある部材については、１３−１などとハイフンの後ろに番号を付し、変化の段階を示しているが、各部材そのものの本質が変わるものではない（以下同様）。
【００１６】
隠蔽部１１は、図１（Ａ）に示すように、天地サイズｈ１＝６インチ（１５２．４ｍｍ）の５２．３ｇ／ｍ２上質紙からなり、情報部１１ａと、左右のマージナル部ｍａとを備えている。なお、２つのマージナル部ｍａと平行な方向を天地方向とし、天地方向と直交する方向を左右方向とする（以下同様）。情報部１１ａには、秘匿情報を隠蔽する場合の確認事項などが記載されている。マージナル部ｍａには、ロールでの巻き取りや機械での加工が行い易いように連続した穴（マージナルパンチホール）が空けられている。
【００１７】
保護シート１２は、図１（Ｂ）に示すように、天地サイズｈ１＝６インチの５２．３ｇ／ｍ２上質紙からなり、左右のマージナル部ｍａと、糊しろ部ｆｆと、色やインクが透けてしまうことを防止するための目止めインキが塗布されている情報面１２ａとを備えている。情報面１２ａには、隠蔽部１１−１を剥離した後の注意事項などが記載されている。
【００１８】
冊子本体１３は、図１（Ｃ）に示すように、天地サイズｈ２＝９インチ（２２８．６ｍｍ）の１２７．９ｇ／ｍ２コート紙からなり、申し込みの記入欄などが設けられているハガキ部１３ａと、その場で仮に発行し、ポイントなどを一時的に貯めておくためのテンポラリーカード１３ｂと、左右のマージナル部ｍａと、必要に応じて各部分を分離するためのミシン目ｍｃと、冊子本体１３を折りたたむための折り目ｂｅとを備えている。
また、折り目ｂｅと同じ長さであり、かつ、平行に切りこまれているミシン目ｍｃは、折りたたむための線でもあり、折り目ｂｅと、このミシン目ｍｃとを使って、冊子本体１３を３つ折りにするこができる。
【００１９】
付属シート１４は、図１（Ｄ）に示すように、隠蔽部１１−１と、保護シート１２−１と、ハーフカットｈｃとを備えている。
付属シート１４を作製する作業工程を詳しく説明すると、まず、隠蔽部１１（図１（Ａ））の裏面に再剥離再貼付粘着剤を塗布し、その上に保護シート１２（図１（Ｂ））の目止めインキが塗布されている側の面を貼り合わせ、両者のマージナル部ｍａを用いてロール状に巻き上げる。その後、隠蔽部１１にハーフカットｈｃを切り込み、粕上げ加工を施す。ハーフカットｈｃは、そのカット線が、保護シート１２の糊しろ部ｆｆと目止めインキが塗布されている情報面１２ａの境界線と重なるように隠蔽部１１に切り込む。そして、保護シート１２の糊しろ部ｆｆと、それに連接しているマージナル部ｍａと、そのマージナル部ｍａの上方にある隠蔽部１１のマージナル部ｍａを切り離して、付属シート１４とする。この作業工程を経て、隠蔽部は１１から１１−１に（図１（Ａ）→図１（Ｄ））、保護シートは１２から１２−１に（図１（Ｂ）→図１（Ｄ））なる。
【００２０】
この付属シート１４を、図１（Ｄ）に示すように、左端側にパターン糊１３ｄが塗り込んであるハガキ部１３ａ上に挿入方式で貼り込み、全てのマージナル部ｍａを切り離すことによって、保護シートは１２−１から１２−２になり、付属シートは１４から１４−１になり、ハガキ付き冊子１０が完成する（図１（Ｅ））。
【００２１】
このハガキ付き冊子１０を使用する場合は、まず、各情報面に記載されている情報をみる。そして、希望のコースや入会したいクラブなどがみつかり、申し込みをする場合には、ハガキ部１３ａを冊子本体１３−１から分離させ（分離工程）、ハガキ部１３ａの記入欄に必要事項を記入し、隠蔽部１１−１を保護シート１２−２から再貼付可能に剥離し（剥離工程）、剥離した隠蔽部１１−１とハガキ部１３ａとを貼り合わせ（貼り合わせ工程）、隠蔽ハガキとして送付する。
送付されてきた隠蔽ハガキを受け取った業者は、隠蔽部１１−１をハーフカットｈｃによって切り取るように剥離するので他の部分を破損することなく剥離すし記入内容を確認することができる。
【００２２】
本実施形態は、隠蔽部１１−１をハガキ部１３ａ上に設けているので、冊子本体１３−１に記載される情報部１３ｃの領域を狭くすることがない。
また、隠蔽部１１と冊子本体１３との紙の材質を変えることができるので、隠蔽部１１に低コストの材質の紙を使うことによって、ハガキ付き冊子１０のコストを抑えることができる。
さらに、ハガキ部１３ａと隠蔽部１１−１とがパターン糊１３ｄにより一部で強接着されているので、付属シート１４−１がハガキ部１３ａから脱落してしまう可能性が少なくなった。
【００２３】
（第２実施形態）
図２は、本発明によるハガキ付き冊子の第２実施形態を示す模式図である。
本実施形態は、第１実施形態より低コストで製作工程が簡易なハガキ付き冊子について説明する。
第１実施形態と異なる点は、図２（Ａ）に示すように、隠蔽部２１が、マージナル部ｍａと本体部２１ｂとで長さに差がある点である。マージナル部ｍａは、天地サイズｈ１＝６インチであるのに対して、本体部２１ｂは、天地サイズｈ３＝５インチ（１２７．０ｍｍ）であり、１インチの差がある。
また、保護シート２２も第１実施形態とは異なり、図２（Ｂ）に示すように、天地サイズｈ１＝６インチの剥離紙からなり、剥離面２２ａと、１つのマージナル部ｍａとを備えている。
【００２４】
さらに、付属シート２４を製作する作業工程も異なっており、詳しく説明すると、まず、保護シート２２（図２（Ｂ））の表面の剥離面２２ａに再剥離再貼付粘着剤を塗布し、その上に隠蔽部２１（図２（Ａ））を貼り合わせ、両者のマージナル部ｍａを用いてロール状に巻き上げる。ここでは、転写方式を用いている。
本実施形態では、隠蔽部２１の本体部２１ｂが、はじめから５インチなので、粕上げ加工などの工程を省略することができ、また、保護シート２２に剥離紙を用いているので、目止めインキを塗布する工程も省略することができるという効果がある。
【００２５】
（第３実施形態）
図３は、本発明によるハガキ付き冊子の第３実施形態を示す模式図であって、図３（Ａ）は、付属シート（１枚目基材）の模式図であり、図３（Ｂ）は、冊子本体（２枚目基材）の模式図であり、図３（Ｃ）は、完成したハガキ付き冊子の模式図である。
【００２６】
第３実施形態は、第１，２実施形態よりさらに低コストで製作工程もより簡易なハガキ付き冊子について説明する。
第１，２実施形態と異なる点は、隠蔽部３１がハガキ部３３ａと連接して冊子本体３３−１に設けられており、また、第１，２実施形態で存在していた保護シートが無くなった点である。
【００２７】
ハガキ付き冊子３０は、図３（Ｃ）に示すように、ハガキ部３３ａ、情報部３３ｃ及び隠蔽部３１が設けられた冊子本体３３−１と、情報部３４ａ及びＹカット３６が設けられた付属シート３４−１とを備えており、ハガキ部３３ａと隠蔽部３１とが連接されている。付属シート３４−１と隠蔽部３１を含む冊子本体３３−１の左半分とが、再剥離再貼付可能に擬似接着されており、また、冊子本体３３−１の左右方向の幅は、ハガキ部３３ａの左右方向の幅の約２倍である。
【００２８】
付属シート３４は、図３（Ａ）に示すように、天地サイズｈ２＝９インチの６４．０ｇ／ｍ２コート紙からなり、冊子本体３３は、図３（Ｂ）に示すように、天地サイズｈ２＝９インチの１２７．９ｇ／ｍ２上質紙からなるので、付属シート３４は、冊子本体３３より坪量が低い。
【００２９】
ハガキ付き冊子３０を作製する作業工程を詳しく説明すると、まず、冊子本体３３（図３（Ｂ））の左側のマージナル部ｍａを切り離しながら、冊子本体３３の左半分の表面に、再剥離再貼付粘着剤３５を塗布する。その後、剥離を行いやすくするためにＹカット３６を付属シート３４（図３（Ａ））に切り込み、片ピン丁合を用いて再剥離再貼付粘着剤３５の上に付属シート３４を貼り合わせ、残っている全てのマージナル部ｍａを切り離し、シートカット仕上げをすることによってハガキ付き冊子３０が完成する（図３（Ｃ））。
【００３０】
このハガキ付き冊子３０を使用する場合は、付属シート３４−１のＹカット３６を用いて、隠蔽部３１を覆っている部分を剥離する（剥離工程）。その後、隠蔽部３１とハガキ部３３ａとをミシン目ｍｃで分離し（分離工程）、必要事項を記入してから記入欄が目視できないように両者を貼り合わせ（貼り合わせ工程）、隠蔽ハガキとして送付する。
【００３１】
本実施形態は、第１，２実施形態と比較して、情報を記載する付属シート部分全体に低コストな紙材を用いることができるので、より低コストなハガキ付き冊子３０となっている。言い換えれば、申し込み用ハガキとして必要な部分以外には、低コストな材質の紙を用いたということである。
また、付属シート３４自体が、第１，２実施形態で存在していた保護シートの役割を果たしているので、紙材の量は第１，２，３実施形態ともに、ほぼ同じであっても、第１，２実施形態は完成品が３つ折りであるのに対して、本実施形態は４つ折りにすることができ、情報領域をより増加させることができた。
さらに、付属シート３４に低コストな薄い紙を使った場合には、隠蔽部３１に記載されている秘匿情報が透けてみえてしまう恐れがあるが、冊子本体３３−１の左右方向の幅が、ハガキ部３３ａの左右方向の幅の約２倍となっているので、冊子本体３３−１を２つに折り曲げることによって秘匿情報を隠蔽することができる。
【００３２】
（変形形態）
以上説明した実施形態に限定されることなく、種々の変形や変更が可能であって、それらも本発明の均等の範囲内である。
（１）本実施形態で分離予定線は、ミシン目としたが、ハーフカットなどでもよい。また、Ｙカットも、他の種類のカットでもよい。
（２）本実施形態では、ハガキ付き冊子は３つ折り、４つ折りの例で示したが、情報部の領域を広げて折り数を増やしてもよい。
【００３３】
【発明の効果】
以上詳しく説明したように、本発明によれば、申し込みハガキを送付する場合に秘匿情報を隠蔽部によって隠蔽することができ、この隠蔽部が冊子本体の情報部の領域を妨げることがなく、しかも、申し込みハガキとその他のシート部に坪量の異なる素材の紙材を用いたので、低コスト化が図れた。
【図面の簡単な説明】
【図１】本発明によるハガキ付き冊子の第１実施形態を示す図である。
【図２】本発明によるハガキ付き冊子の第２実施形態を示す図である。
【図３】本発明によるハガキ付き冊子の第３実施形態を示す図である。
【符号の説明】
３０  ハガキ付き冊子
３１  隠蔽部
３３，３３−１  冊子本体
３３ａ  ハガキ部
３３ｂ  テンポラリーカード
３４，３４−１  付属シート
３４ａ  情報部
３５  再剥離再貼付粘着剤
３６  Ｙカット
ｂｅ  折り目
ｍａ  マージナル部
ｍｃ  ミシン目
【図１】
2004338216.tif 000003
【図２】
2004338216.tif 000004
【図３】
2004338216.tif 000005